(57)【特許請求の範囲】
【請求項１】
便器本体の上面両側部に肘掛が立設される可搬便器において、横杆を円環状基端部から斜め上方に持ち上げた後に水平方向に突出したペーパーロール支持腕杆を備え、各肘掛はその円柱状縦杆の先端を便器本体の上面側部に着脱可能に挿嵌することで立設され、前記ペーパーロール支持腕杆が前記円環状基端部に肘掛の円柱状縦杆が嵌通されて肘掛に取り付けられることで、いずれの肘掛にも取着可能となっていることを特徴とする可搬便器。
【発明の詳細な説明】
【０００１】
【発明の属する技術分野】
本発明は、可搬便器に関する。
【０００２】
【従来の技術】
従来、便溜槽を開口部に釣支した便器本体の上面に取付けられた肘掛の支柱に、切欠環状取付部からペーパーロール支持腕杆が延設されたペーパーホルダーを着脱可能且つ上下摺動可能に取着することは、特開平１１−２６７０６５号公報に示されている。
【０００３】
【発明が解決しようとする課題】
しかしながら、このような可搬便器に於いては、ペーパーロール支持腕杆に使用者の前腕等が衝突した場合等には、切欠環が容易に拡開されて縦杆から脱落するという問題があった。
【０００４】
本発明は、上記従来の問題点を解消し、ペーパーロール支持腕杆が外部衝撃によって肘掛の縦杆から容易に脱落することがない可搬便器を提供することを目的とする。
【０００５】
【課題を解決するための手段】
本発明の可搬便器は、便器本体の上面両側部に肘掛が立設される可搬便器において、横杆を円環状基端部から斜め上方に持ち上げた後に水平方向に突出したペーパーロール支持腕杆を備え、各肘掛はその円柱状縦杆の先端を便器本体の上面側部に着脱可能に挿嵌することで立設され、前記ペーパーロール支持腕杆が前記円環状基端部に肘掛の円柱状縦杆が嵌通されて肘掛に取り付けられることで、いずれの肘掛にも取着可能となっていることを特徴とする。
【０００６】
本発明の可搬便器に於いて、便器本体の材質は、特に限定されず、例えば、ポリプロピレン（ＰＰ）、高密度ポリエチレン（ＨＤＰＥ）等の硬質熱可塑性樹脂が挙げられる。
【０００７】
便器本体には、着座時寛いだ姿勢を取ることが出来るよう、背凭れが立設されていてもよい。背凭れは、便器本体と一体に成形されていても、別体に成形され、必要に応じて着脱可能となされていても、何れでもよい。
【０００８】
本発明の可搬便器に於いて、便器本体の一側部に立設された肘掛の材質は、使用者の体重を支持するのに充分な荷重強度を有するものであれば特に限定されず、例えば、合成樹脂被覆金属、木材、繊維強化合成樹脂（ＦＲＰ）、アクリロニトリル−ブタジエン−スチレン（ＡＢＳ）、ポリアミド（ＰＡ）等の硬質熱可塑性樹脂等が挙げられる。
【０００９】
肘掛の便器本体への取着方法は、特に限定されず、例えば、便器本体の上面両側部に円形の盲孔を各２個前後方向に刻設し、肘掛の円柱状縦杆の先端を着脱可能に挿嵌すればよい。
【００１０】
前部盲孔は、便器本体の前面より後方に控えて刻設されるのが好ましい。前部縦杆が便器本体の前端近傍に立設されていると、着座時に大腿部が内方に圧迫されて窮屈だからである。
【００１１】
肘掛の横杆は、便器本体の前面迄突出されるのが好ましい。横杆の前端が便器本体の前面より後方に位置していると、使用者が起立、着座する際に、横杆を保持する為に無理な姿勢を取ることを余儀なくされるからである。
【００１２】
肘掛の横杆が前部縦杆より前方に突出されている場合には、先端は略半球状とされるのが好ましい。使用者が起立、着座する際に、横杆の先端に手を添わせて力を籠め易いからである。
【００１３】
横杆の断面形状は、特に限定されないが、上面を幅広の略平面状とした略偏平長円状、略隅丸矩形状等とされるのが好ましい。着座時に横杆を握持しなくとも、前腕を横杆上に載置して身体の安定を保ち易いからである。
【００１４】
本発明の可搬便器に於いて、ペーパーロール支持腕杆の材質は、特に限定されず、例えば、合成樹脂被覆金属、ＰＰ、ＨＤＰＥ等の硬質熱可塑性樹脂が挙げられる。
【００１５】
ペーパーロール支持腕杆の形状は、特に限定されず、例えば、円環状基端部から円棒状横杆が略水平に突設され、先端に略円板状の抜止用鍔縁が周設されていても、円環状基端部から略短冊状の横杆が略水平に突設され、横杆の略中央に円柱状縦杆が立設されていても、何れでもよい。
【００１６】
【発明の実施の形態】
以下本発明の可搬便器を図面に基づいて説明する。図１は本発明の可搬便器の実施例を示す一部分解斜視図、図２は参考例を示す一部分解斜視図である。
【００１７】
図１に示されている本発明の実施例に於いて、１は上面に略馬蹄形状の開口部が穿設された便器本体であって、開口部の周囲の略環状段部に、図示しない折返し縁が周設された平面視略馬蹄形状の便溜槽が釣支されている。
【００１８】
便溜槽の開口部上には、図示しない略卵形状の開口部を有する平面視略馬蹄形状の便座と、便座を完全に掩蔽する平面視略馬蹄形状の上蓋２が、夫々独立に上下に回動可能に軸着されている。上蓋２の略２等分された前半部と後半部とは、二つ折りに折畳可能に連結されている。
【００１９】
２本の縦杆の上端を結ぶ横杆の前面に弾性体が固着された略逆Ｕ字状の背凭れ３は、縦杆の先端を便器本体１の上面後部両側に刻設された盲孔に挿嵌して立設されている。
【００２０】
前後２本の円柱状縦杆41、42の上端を横杆43が連結してなる１対の肘掛４は、便器本体１の上面両側に刻設された円形の盲孔11に、縦杆41、42の先端を着脱可能に挿嵌して立設されている。前部縦杆41より前方に突出された横杆43の前端は、略半球状となされている。
【００２１】
左方の肘掛４の前部縦杆41には、円環状基端部51から円棒状横杆52が略水平に突設され、先端にはトイレットペーパーロールの巻芯の内径より稍小径の円板状の抜止用鍔縁53が周設されているペーパーロール支持腕杆５の円環状基端部51が周方向に摺動可能に嵌通されている。尚、ペーパーロール支持腕杆５は、使用者の利き腕等の好みにより、左右何れの肘掛４に取着されてもよい。
【００２２】
使用に際しては、図示しないミシン目を等間隔に入れたトイレットペーパーロールを、円棒状横杆52の先端から遊嵌、釣支すればよく、トイレットペーパーロールの巻芯の端面が鍔縁53に当接して、ペーパーロール支持腕杆５からの抜落が防止される。
【００２３】
図２に示されている参考例に於いては、ペーパーロール支持腕杆５は、円環状基端部51からトイレットペーパーロールの外径より稍長尺となされた略短冊状の横杆52が略水平に突設され、横杆52の略中央にトイレットペーパーロールの巻芯の内径より稍小径の円柱状縦杆54が立設されて形成されている。ペーパーロール支持腕杆５を除く部分は前記実施例と同様であるので説明を省略する。
【００２４】
使用に際しては、ミシン目を等間隔に入れたトイレットペーパーロールを、円柱状縦杆54の上端から周方向に回動可能に嵌通、支承すればよく、トイレットペーパーロールの巻芯内面が縦杆54に当接して、ペーパーロール支持腕杆５からの落下が防止される。
【００２５】
【発明の効果】
本発明の可搬便器は、叙上の通り構成されているので、ペーパーロール支持腕杆が外部衝撃によって肘掛の縦杆から容易に脱落することがない。
【図面の簡単な説明】
【図１】  本発明の可搬便器の実施例を示す一部分解斜視図
【図２】  参考例の可搬便器を示す一部分解斜視図。
【符号の説明】
１  便器本体
２  上蓋
３  背凭れ
４  肘掛
５  ペーパーロール支持腕杆
11  盲孔
41  （肘掛の）前部縦杆
42  （肘掛の）後部縦杆
43  （肘掛の）横杆
51  基端部
52  （ペーパーロール支持腕杆の）横杆
53  鍔縁
54  （ペーパーロール支持腕杆の）縦杆
【図１】
0004504516.tif 000002
【図２】
0004504516.tif 000003